(57)【特許請求の範囲】
【請求項１】
板状のミラー保持部材に形成した穴形状又は切欠き形状のミラー取付部内に平板状のミラー端部を嵌合させた状態で、ミラーの非反射面とミラー取付部の内周面との間に板バネ状の弾性固定部材を圧入させることにより、ミラー取付部内にミラーを一定の位置精度を確保しつつ固定するミラー保持装置において、
上記ミラー取付部の対向し合う内周面の一方には、ミラーの反射面側に当接する突起部が形成され、該内周面の他方には凹所が形成され、
上記弾性固定部材は、帯状の板バネをＵ字状或はＶ字状に折り曲げ、折り曲げ部から２方向に伸びる第１及び第２の片の各先端縁を屈曲させて抜け止めとすると共に、第１の片の幅方向両端縁に前記凹所の対向し合う端縁に嵌合する係合溝を対向形成した構成を備え、
上記ミラーの非反射面と上記弾性固定部材の第２の片との間であって、上記突起部と対向する位置を中心とした領域に、ミラーの面方向へのずれを防止するためのずれ防止手段を介在させたことを特徴とする画像読取り装置のミラー保持装置。
【請求項２】
上記ずれ防止手段を、接着剤としたことを特徴とする請求項１記載の画像読取り装置のミラー保持装置。
【請求項３】
上記ずれ防止手段を、両面テープとしたことを特徴とする請求項１記載の画像読取り装置のミラー保持装置。
【請求項４】
上記ずれ防止手段を、高摩擦抵抗部材としたことを特徴とする請求項１記載の画像読取り装置のミラー保持装置。
【請求項５】
上記ずれ防止手段は、上記ミラーの長手方向端縁を回避した手前側位置にて終端するように配置されていることを特徴とする請求項１、２、３、又は４記載の画像読取り装置のミラー保持装置。
【発明の詳細な説明】
【０００１】
【発明の属する技術分野】
本発明は複写機、プリンタ、普通紙ファクシミリ装置等の様に、光源、ミラーから成る画像読取り装置を備えた画像形成装置に関し、特に画像読取り装置を構成する平面ミラーの保持装置の改良に関する。
【０００２】
【従来の技術】
画像読取り装置は、コンタクトガラス上に載置した原稿に対して光を照射する為の光源と、原稿面からの反射光を所定方向に導くミラー、レンズ等から構成されている。これらの光学部品は、通常保持部材（走行体）により支持されており、保持部材の移動による振動、衝撃によって光学部品が位置ずれを起こしたり、脱落することがないようにその保持方法に種々の配慮がなされている。
従来の走査光学系に用いられる複数の平面ミラーは、アルミダイキャストのホルダーや、プレス加工された板状の保持部材の所定の取付部に平面ミラーをはめ込んだ状態で弾性部材によってミラー面を押圧することにより、所定の角度、位置で位置決め固定される。
このような保持部材としては、小型軽量化、コストダウン化を図る為に、プレス加工により形成された板状の保持部材に対して、平面ミラーの両端側を３点支持によって無調整にて取付け固定しているものが知られている（実公昭５９−１６８８４号公報）。
ところで、近年では画像読取り装置、画像形成装置の小型軽量化、コストダウン化が求められ、その結果、極限まで構成部品を小型化、軽量化することが必要とされている。しかし、ミラーの反射面の面積の小型化には、露光量、露光幅等の機能に基づく要請からおのずと制約があり、ある一定寸法よりも小さくすることはできない。そこで、ミラーを保持する保持部材を従来の穴形状から、切欠き形状にすることにより、機能低下を招かない小型化に成功した。
【０００３】
即ち、図６（ａ）（ｂ）（ｃ）及び図７（ａ）（ｂ）は従来の平面ミラーの保持部材の構成を示す説明図であり、図６は保持部材が穴形状の場合、図７は保持部材が切欠き形状である場合を示している。図６において、符号１はミラー保持部材であり、このミラー保持部材１の板面には、ミラー取付部としての穴形状部２が形成され、各穴形状部２の内周にはミラーを受ける突起部５と、弾性固定部材６と係合する段差（凹所）４が対向位置関係で形成されている。ミラー３は図６（ａ）（ｂ）に示す様にその長手方向両端部を穴形状部２内に差し入れてから、段差４内に弾性固定部材６を嵌着することによって、穴形状部２内に固定される。弾性固定部材６は、（ｃ）に示す様に金属板等を図示の様に、Ｕ字状或はＶ字状に成形すると共に、その一片６ａの適所に係合溝７を形成し、更に、両片６ａ、６ｂの端縁を９０度程度屈曲させて抜け止めとした構成を備えている。弾性固定部材６を段差４内に圧入した時に、係合溝７が段差４の対向し合う端縁に嵌合することにより弾性固定部材６は位置決めされる。
【０００４】
また、図７（ａ）  （ｂ）  のミラー取付部は、切欠き形状部２’であり、この切欠き形状部２７内にミラー３を差し込んだ状態でその両側面を突起部５と弾性固定部材６により押えることによりミラーを保持している。
このようにいずれのタイプの従来例においても、弾性固定部材６は係合溝７と段差４との係合によって、保持部材１に固定されるため、ミラー３が振動や衝撃に対してずれることはない。しかし、図６のミラー３は弾性固定部材６で押圧されて保持されているだけなので、矢印Ａ方向にずれることがあり、このようなずれが発生すると、ミラー取付部である穴形状部２の内周と接するミラー３の端部が破損する恐れがある。
又、図７の従来例の場合には、ミラー取付部が切り欠き形状部２’であるため、機械輸送時等の振動や衝撃で矢印Ｂの方向に飛び出し、ミラー３が脱落する可能性がある。
このような脱落、破損を防止する為に、特開平４−２０４９１０号公報（特許第２５１４４６９号）には、穴形状のミラー取付部内に差し込んだミラーの両面側に板バネを介在させた状態でミラーを挟圧保持するようにした技術が開示されているが、この従来例は、板バネから成る固定部材の形状が複雑になり、加工性、組付け性が悪くなり、特に切欠き形状のミラー保持部に対しては、有効な保持手段とはいえない。
【０００５】
【発明が解決しようとする課題】
本発明は上記に鑑みてなされたものであり、画像読取り装置の光学系を構成する平面ミラーを保持する保持部材の保持構造として、穴形状又は切欠き形状のミラー取付部内にミラーを嵌合した上で、板バネ状の弾性固定部材をミラー取付部内に圧入する構造を採用した場合に、振動、衝撃に起因してミラーがミラー取付部内から脱落したり、位置ずれを起こすことを有効に防止する様にした画像読取り装置のミラー保持装置を提供することを目的としている。
また、簡単な構成で組付け作業性もよく、安価で確実な横ずれ防止効果を備えた画像読取り装置のミラー保持装置を提供することを目的としている。
【０００６】
【課題を解決するための手段】
上記目的を達成するため、請求項１の発明は、板状のミラー保持部材に形成した穴形状又は切欠き形状のミラー取付部内に平板状のミラー端部を嵌合させた状態で、ミラーの非反射面とミラー取付部の内周面との間に板バネ状の弾性固定部材を圧入させることにより、ミラー取付部内にミラーを一定の位置精度を確保しつつ固定するミラー保持装置において、上記ミラー取付部の対向し合う内周面の一方には、ミラーの反射面側に当接する突起部が形成され、該内周面の他方には凹所が形成され、上記弾性固定部材は、帯状の板バネをＵ字状或はＶ字状に折り曲げ、折り曲げ部から２方向に伸びる第１及び第２の片の各先端縁を屈曲させて抜け止めとすると共に、第１の片の幅方向両端縁に前記凹所の対向し合う端縁に嵌合する係合溝を対向形成した構成を備え、上記ミラーの非反射面と上記弾性固定部材の第２の片との間であって、上記突起部と対向する位置を中心とした領域に、ミラーの面方向へのずれを防止するためのずれ防止手段を介在させたことを特徴とする。即ち、請求項１の発明によれば、機械輸送時やスキャナー走査時の振動や衝撃により、ミラーが穴や切欠き部よりずれ落ちたり横ずれして、穴の端面に当り、ミラー端部を破損することがなくなる。
請求項２の発明は、記ずれ防止手段を、接着剤としたことを特徴とする。
請求項３の発明は、上記ずれ防止手段を、両面テープとしたことを特徴とする。
請求項４の発明は、上記ずれ防止手段を、高摩擦抵抗部材としたことを特徴とする。
請求項２、３、４の発明によれば、ミラーと弾性固定部材の横ずれ防止をより確実にすることができる。
請求項５の発明は、上記ずれ防止手段は、上記ミラーの長手方向端縁を回避した手前側位置にて終端するように構成されていることを特徴とする。
請求項５の発明によれば、弾性固定部材を用いたミラーとミラー保持部材との固定作業性を向上することができる。
【０００７】
【発明の実施の形態】
以下、本発明の一形態例のミラー保持装置を添付図面に従って説明する。なお、図６、図７を併せて参照すると共に、同一部分には同一符号を付し、重複した説明は省略する。
図６、図７に示したように、ミラー取付部２、２’の対向し合う内周面の一方には、ミラー３の反射面３ｂ側に当接する突起部５が形成され、該内周面の他方には段差（凹所）４が形成されている。弾性固定部材６は、帯状の板バネをＵ字状或はＶ字状に折り曲げ、折り曲げ部から２方向に伸びる第１及び第２の片６ａ、６ｂの各先端縁を屈曲させて抜け止めとすると共に、第１の片６ａの幅方向両端縁に前記凹所４の対向し合う端縁に嵌合する係合溝７を対向形成した構成を備えている。
図１は本発明の特徴的な構成を示す斜視図であり、本発明では弾性固定部材６を穴形状部２、或は切欠き形状部２’内に圧入する際に、弾性固定部材６の第２の片６ｂがミラー３の非反射面３ａと接する位置に表面の摩擦抵抗が大きい高摩擦抵抗部材（例えば、ゴム、樹脂等の弾性材料）から成る板状のずれ防止手段８を介在させるようにした点が特徴的である。即ち、ミラー３の非反射面３ａと弾性固定部材６の第２の片６ｂとの間であって、突起部５と対向する位置を中心とした領域に、ミラーの面方向へのずれを防止するためのずれ防止手段８を介在させた点が特徴的である。
まず、図２は第１の形態例であり、この形態例では、弾性固定部材６の一つの片（第２の片）６ｂをミラー３の一面３ａ（非反射面）にあてがうことにより、ミラー３の他面（反射面）３ｂを穴形状部２又は切欠き形状部２’の内周縁の一部に圧接させ、もってミラー３を挟圧保持している。この形態例では、弾性固定部材６の一片６ｂがミラー３の一面と平行な姿勢となっているので、ミラー３の他面３ｂが接するミラー取付部２、２’の内周面（突起部５）と対向する位置を中心とした領域にずれ防止手段８を配置することにより、一片６ｂとミラーの一面３ａとの間の摩擦抵抗を増大せしめ、もって外力に起因したずれや脱落等を防止する。即ち、この形態例では、弾性固定部材６とミラー３とを平面で接触せしめ、かつミラー保持部材１の断面を含むようにずれ防止手段８を配置するので、後述する各形態例に比して、弾性固定部材６とミラー３との接触面が広くなる。このため、弾性固定部材６が、突起部５に作用する作用点に位置することとなり、確実に横ずれを防止することができる。
なお、この形態例に於て、ずれ防止手段８をミラー３の長手方向端部にまで延在させた場合、弾性固定部材６を圧入する時の作業性が悪くなるばかりか、圧入時に弾性固定部材６がずれ防止手段８の端縁をめくれさせ易くなるので、弾性固定部材６とミラー３とが面接触で押圧されなくなり、ズレ防止効果が半減してしまう。
従って、ずれ防止手段８の端縁は、図２に示す様に端縁の手前側適所で終端させるのが好ましい。
【０００８】
次に、図３の例では、弾性固定部材６の一片６ｂが湾曲しているので、ミラー３の一面３ａと一片６ｂとの接触する面積は狭くなっている。この形態例では、この接触領域にずれ防止手段８を介在させることにより、ミラー３と弾性固定部材６との間のすべりをなくし、強固な固定を実現している。
次に、図４の形態例では、弾性固定部材６の一片６ｂが、ミラー３の一面３ａと平行ではなく、一定の角度θを有して係合しているので、ずれ防止手段８を介在させる位置を、一片６ｂの先端部とミラーの長手方向端部との間の接近した領域にしている。この場合も、弾性固定部材６とミラー３との間の滑りと、それに起因したずれ、脱落を有効に防止するとともに、ミラー３を矢印Ａで示す押圧方向に確実に押圧することができるので、ミラーの保持力が必要十分となる。
【０００９】
なお、ずれ防止手段８としては、接着剤、両面テープ、ＥＴＰゴム等の高摩擦抵抗部材から成る板材、ポリエチレンフィルム等を使用することにより、ミラー３と弾性固定部材６との間の横ずれ防止をなくしたり、振動や衝撃でミラー３が破損したり脱落することを防止できる。
つまり、ずれ防止手段８を接着剤により構成する場合には、弾性固定部材６の一片６ｂとミラーの一面３ａとの間、つまり図２、図３、図４中に示したずれ防止手段８の存在領域内に接着剤を配置して固定を実現する。また、両面テープ、板材、フィルムを用いた場合にも同様である。なお、ずれ防止手段８として、接着剤、両面テープ、ＥＴＰゴム等の高摩擦抵抗部材から成る板材、ポリエチレンフィルム等を使用する場合には、図２の形態例の平面状の接触部にこれらを介在させることが有効であろう。
【００１０】
次に、図５はずれ防止手段を不適切に適用した場合の例を示す図であり、この例は、弾性固定部材６とミラー３との間にずれ防止手段８を配置しているのでは無く、ミラー保持部材１のミラー取付部２、２’の内周とミラー３との間にずれ防止手段を介在させている。このようにミラー取付部内周とミラー３とを直接ずれ防止手段８で固定させると、ミラー面の位置精度が悪くなるばかりか、接触面も突起部５との間の点接触になるため、振動や衝撃による横ずれを防止できない。特に、弾性固定部材６とミラー３との間の滑りは依然として解消されないこととなる。
従って、ずれ防止手段８の配置箇所としては、図２、図３、図４に示した位置が最適である。
【００１１】
【発明の効果】
請求項１のミラー保持装置においては、ミラーをミラー保持部材に設けたミラー取付部内に、弾性固定部材を用いて固定する際に、弾性固定部材とミラーとの接触部全体に渡って両者を固定する為のずれ防止手段を介在させているので、機械輸送時やスキャナー走査時の振動や衝撃によりミラーがミラー取付部からずれ落ちたり、横ずれしてミラー取付部内周縁に当り、ミラー端部が破損することを防止することができる。
請求項２、３、４のミラー保持装置においては、ずれ防止手段を、接着剤、両面粘着テープ、高摩擦抵抗部材等としているので、ミラー固定効果を高めることができる。特に、これらのずれ防止手段を、ミラーとミラー保持部材及びずれ防止手段が平面で接触し、押圧される位置（図２の形態例）に配置するように構成すれば、ミラーのズレがないようにすることができる。
請求項５のずれ防止手段においてはミラーの端部を回避した位置にミラーズレ防止手段を設けているので、ミラーと弾性部材との固定作業性の向上を図ることができる。また確実な効果が得られる。
【図面の簡単な説明】
【図１】本発明の弾性固定部材及びずれ防止手段の一例の構成を示す斜視図。
【図２】本発明の一例のミラー保持装置の保持状態説明図。
【図３】本発明の他の例のミラー保持装置の保持状態説明図。
【図４】本発明の他の例のミラー保持装置の保持状態説明図。
【図５】不適切な保持状態説明図。
【図６】（ａ）  （ｂ）  及び（ｃ）  は従来例の説明図。
【図７】（ａ）  （ｂ）  は他の従来例の説明図。
【符号の説明】
１  ミラー保持部材、２  穴形状部、２’  切欠き形状部、３  ミラー、４  段差、５  突起部、６  弾性固定部材、７  溝、８  ずれ防止手段。
【図１】
0003627837.tif 000002
【図２】
0003627837.tif 000003
【図３】
0003627837.tif 000004
【図４】
0003627837.tif 000005
【図５】
0003627837.tif 000006
【図６】
0003627837.tif 000007
【図７】
0003627837.tif 000008